【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
リソース指示方法であって、
ネットワークデバイスにより送信される第１の指示情報を端末デバイスが受信する段階であって、前記第１の指示情報は、物理共有チャネルのマッピングタイプを示すのに用いられ、前記物理共有チャネルの前記マッピングタイプは第１のタイプ又は第２のタイプである、段階と、
前記物理共有チャネルの前記マッピングタイプが前記第１のタイプである場合、前記物理共有チャネルによりリソース単位において占有される最後のシンボルの位置インデックスを基準にして、復調参照信号（ＤＭＲＳ）により前記リソース単位において占有される時間領域位置を前記端末デバイスが決定する段階と、
前記物理共有チャネルの前記マッピングタイプが前記第２のタイプである場合、前記物理共有チャネルによりリソース単位において占有されるシンボルの個数に基づいて、ＤＭＲＳにより前記リソース単位において占有される時間領域位置を前記端末デバイスが決定する段階と
を備える、方法。
【請求項２】
前記ＤＭＲＳは第１のＤＭＲＳ及び付加されたＤＭＲＳを含み、
ＤＭＲＳによりリソース単位において占有される時間領域位置を決定する前記段階は、
前記物理共有チャネルの前記マッピングタイプが前記第１のタイプである場合、前記物理共有チャネルにより前記リソース単位において占有される前記最後のシンボルの前記位置インデックスを基準にして、前記付加されたＤＭＲＳにより前記リソース単位において占有される時間領域位置を前記端末デバイスが決定する段階と、
前記物理共有チャネルの前記マッピングタイプが前記第２のタイプである場合、前記物理共有チャネルによりリソース単位において占有される前記シンボルの個数に基づいて、前記付加されたＤＭＲＳにより前記リソース単位において占有される時間領域位置を前記端末デバイスが決定する段階と
を有する、請求項１に記載の方法。
【請求項３】
前記物理共有チャネルの前記マッピングタイプは前記第１のタイプであり、
前記付加されたＤＭＲＳにより前記リソース単位において占有される時間領域位置を決定する前記段階は、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を前記端末デバイスが決定する段階であって、前記第１のマッピング関係は、前記リソース単位における物理共有チャネルの最後のシンボルの異なる位置インデックスと、前記付加されたＤＭＲＳにより前記リソース単位において占有される異なる時間領域位置との対応関係を示すのに用いられる、段階を有する、請求項２に記載の方法。
【請求項４】
前記物理共有チャネルの前記マッピングタイプは前記第２のタイプであり、
前記付加されたＤＭＲＳにより前記リソース単位において占有される時間領域位置を決定する前記段階は、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を前記端末デバイスが決定する段階であって、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、段階を有する、請求項２に記載の方法。
【請求項５】
前記付加されたＤＭＲＳにより前記リソース単位において占有される時間領域位置を決定する前記段階の前に、前記方法はさらに、
前記ネットワークデバイスにより送信される第２の指示情報を前記端末デバイスが受信する段階であって、前記第２の指示情報は付加されたＤＭＲＳの個数を示すのに用いられる、段階と、
前記ネットワークデバイスにより送信される第３の指示情報を前記端末デバイスが受信する段階であって、前記第３の指示情報は、前記第１のＤＭＲＳにより前記リソース単位において占有されるシンボルの実際の個数を示すのに用いられる、段階と
を備え、
前記付加されたＤＭＲＳにより前記リソース単位において占有される時間領域位置を決定する前記段階は、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を前記端末デバイスが決定する段階を有する、請求項２から４のいずれか一項に記載の方法。
【請求項６】
ネットワークデバイスが第１の指示情報を決定する段階であって、前記第１の指示情報は、復調参照信号（ＤＭＲＳ）の物理共有チャネルのマッピングタイプを示すのに用いられ、前記物理共有チャネルの前記マッピングタイプは第１のタイプ又は第２のタイプである、段階と、
前記ネットワークデバイスが前記第１の指示情報を端末デバイスに送信する段階と
を備えるリソース指示方法であって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、方法。
【請求項７】
前記ＤＭＲＳが第１のＤＭＲＳ及び付加されたＤＭＲＳを含み、前記方法はさらに、
前記ネットワークデバイスが第２の指示情報を前記端末デバイスに送信する段階であって、前記第２の指示情報は付加されたＤＭＲＳの個数を示すのに用いられる、段階と、
前記ネットワークデバイスが第３の指示情報を前記端末デバイスに送信する段階であって、前記第３の指示情報は、前記第１のＤＭＲＳにより前記リソース単位において占有されるシンボルの実際の個数を示すのに用いられる、段階と
を備える、請求項６に記載の方法。
【請求項８】
第１の指示情報を決定する前記段階の前に、前記方法はさらに、
ＤＭＲＳ構成情報を格納する段階であって、前記ＤＭＲＳ構成情報は、前記物理共有チャネルのマッピングタイプに従うＤＭＲＳの時間領域位置を含む、段階を備える、請求項６に記載の方法。
【請求項９】
前記ＤＭＲＳ構成情報は第１のマッピング関係を含み、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項８に記載の方法。
【請求項１０】
前記ＤＭＲＳ構成情報は第２のマッピング関係を含み、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、請求項８に記載の方法。
【請求項１１】
前記第１の指示情報は第１のタイプを示し、第１のＤＭＲＳの時間領域位置が、スロット内の３番目のシンボル又は４番目のシンボルに対応する、請求項８に記載の方法。
【請求項１２】
前記第１の指示情報は第２のタイプを示し、前記方法はさらに、
物理アップリンク共有チャネル（ＰＵＳＣＨ）又は物理ダウンリンク共有チャネル（ＰＤＳＣＨ）によりスロットにおいて占有される第１のシンボルとなる、第１のＤＭＲＳの前記時間領域位置を通知する段階を備える、請求項８に記載の方法。
【請求項１３】
ネットワークデバイスにより送信される第１の指示情報を受信するように構成された送受信機ユニットであって、前記第１の指示情報は物理共有チャネルのマッピングタイプを示すのに用いられ、前記物理共有チャネルの前記マッピングタイプは第１のタイプ又は第２のタイプである、送受信機ユニットと、
前記物理共有チャネルの前記マッピングタイプが前記第１のタイプである場合、前記物理共有チャネルによりリソース単位において占有される最後のシンボルの位置インデックスを基準にして、復調参照信号（ＤＭＲＳ）により前記リソース単位において占有される時間領域位置を決定し、前記物理共有チャネルの前記マッピングタイプが前記第２のタイプである場合、前記物理共有チャネルによりリソース単位において占有されるシンボルの個数に基づいて、ＤＭＲＳにより前記リソース単位において占有される時間領域位置を決定するように構成された処理ユニットと
を備える、端末デバイス。
【請求項１４】
前記ＤＭＲＳは第１のＤＭＲＳと付加されたＤＭＲＳを含み、
前記処理ユニットは具体的には、
前記物理共有チャネルの前記マッピングタイプが前記第１のタイプである場合、前記物理共有チャネルにより前記リソース単位において占有される前記最後のシンボルの前記位置インデックスを基準にして、前記付加されたＤＭＲＳにより前記リソース単位において占有される時間領域位置を決定し、
前記物理共有チャネルの前記マッピングタイプが前記第２のタイプである場合、前記物理共有チャネルによりリソース単位において占有される前記シンボルの個数に基づいて、前記付加されたＤＭＲＳにより前記リソース単位において占有される時間領域位置を決定する
ように構成される、請求項１３に記載の端末デバイス。
【請求項１５】
前記物理共有チャネルの前記マッピングタイプは前記第１のタイプであり、
前記処理ユニットは具体的には、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を決定するように構成され、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項１４に記載の端末デバイス。
【請求項１６】
前記物理共有チャネルの前記マッピングタイプは前記第２のタイプであり、
前記処理ユニットは具体的には、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を決定するように構成され、前記第２のマッピング関係は、前記物理共有チャネルにより前記リソース単位において占有されるシンボルの異なる個数と、付加されたＤＭＲＳにより前記リソース単位において占有される異なる時間領域位置との対応関係を示すのに用いられる、請求項１５に記載の端末デバイス。
【請求項１７】
前記送受信機ユニットはさらに、
前記付加されたＤＭＲＳにより前記リソース単位において占有される前記時間領域位置が決定される前に、前記ネットワークデバイスにより送信される第２の指示情報を受信することであって、前記第２の指示情報は、付加されたＤＭＲＳの個数を示すのに用いられる、受信することと、
前記ネットワークデバイスにより送信される第３の指示情報を受信することであって、前記第３の指示情報は、前記第１のＤＭＲＳにより前記リソース単位において占有されるシンボルの実際の個数を示すのに用いられる、受信することと
を行うように構成され、
前記処理ユニットは具体的には、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を決定するように構成される、請求項１４から１６のいずれか一項に記載の端末デバイス。
【請求項１８】
前記送受信機ユニットは送受信機であり、前記処理ユニットはプロセッサである、請求項１３から１７のいずれか一項に記載の端末デバイス。
【請求項１９】
第１の指示情報を決定するように構成された処理ユニットであって、前記第１の指示情報は、復調参照信号（ＤＭＲＳ）の物理共有チャネルのマッピングタイプを示すのに用いられ、前記物理共有チャネルの前記マッピングタイプは第１のタイプ又は第２のタイプである、プロセッサと、
前記第１の指示情報を端末デバイスに送信するように構成された送受信機ユニットと
を備えるネットワークデバイスであって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、ネットワークデバイス。
【請求項２０】
前記ＤＭＲＳは第１のＤＭＲＳ及び付加されたＤＭＲＳを含み、前記送受信機ユニットはさらに、
第２の指示情報を前記端末デバイスに送信することであって、前記第２の指示情報は付加されたＤＭＲＳの個数を示すのに用いられる、送信することと、
第３の指示情報を前記端末デバイスに送信することであって、前記第３の指示情報は、前記第１のＤＭＲＳにより前記リソース単位において占有されるシンボルの実際の個数を示すのに用いられる、送信することと
を行うように構成される、請求項１９に記載のネットワークデバイス。
【請求項２１】
前記ネットワークデバイスはさらに、
ＤＭＲＳ構成情報を格納するように構成されたメモリであって、前記ＤＭＲＳ構成情報は、前記物理共有チャネルのマッピングタイプに従うＤＭＲＳの時間領域位置を含む、メモリを備える、請求項１９に記載のネットワークデバイス。
【請求項２２】
前記メモリに格納された前記ＤＭＲＳ構成情報は第１のマッピング関係を含み、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項２１に記載のネットワークデバイス。
【請求項２３】
前記メモリに格納された前記ＤＭＲＳ構成情報は第２のマッピング関係を含み、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、請求項２１に記載のネットワークデバイス。
【請求項２４】
前記送受信機ユニットにより送信される前記第１の指示情報は第１のタイプを示し、前記第１のＤＭＲＳに対応する時間領域位置が、スロット内の３番目のシンボル又は４番目のシンボルである、請求項２０に記載のネットワークデバイス。
【請求項２５】
前記送受信機ユニットにより送信される前記第１の指示情報は第２のタイプを示し、前記送受信機ユニットはさらに、前記第１のＤＭＲＳの時間領域位置を前記端末デバイスに通知するように構成され、前記第１のＤＭＲＳの前記時間領域位置は、物理アップリンク共有チャネル（ＰＵＳＣＨ）又は物理ダウンリンク共有チャネル（ＰＤＳＣＨ）によりスロットにおいて占有される第１のシンボルである、請求項２０に記載のネットワークデバイス。
【請求項２６】
前記送受信機ユニットは送受信機であり、前記処理ユニットはプロセッサである、請求項１９から２５のいずれか一項に記載のネットワークデバイス。
【請求項２７】
請求項１から１２のいずれか一項に記載の方法をコンピュータに実施させるための、プログラム。
【請求項２８】
プロセッサを備え、メモリに格納された命令を読み出すように構成されたチップであって、前記プロセッサが前記命令を実行すると、前記チップは請求項１から１２のいずれか一項に記載の方法を実施することが可能である、チップ。
【請求項２９】
コンピュータプログラムを格納するように構成されたコンピュータ可読媒体であって、前記コンピュータプログラムは、請求項１から１２のいずれか一項に記載の方法を実施するのに用いられる命令を含む、コンピュータ可読媒体。